(57)【要約】【課題】送り端子台の電源側と主幹ブレーカとの接続するための配線スペースを小さくすることができ、分電盤を小型化できる分電盤を提供する。【解決手段】３極の端子座受部１１ａ、１１ｂ、１１ｃのうち両側の２極の端子座受部１１ａ、１１ｂと中央の１極の端子座受部１１ｃの高さを異ならせて並設した送り端子台１の一方側に３極の電源線を接続するとともに、主幹ブレーカへの３極の中継用電線を接続し、また、送り端子台の他方側に両側の２極の端子座受部１１ａ、１１ｂの端子座を延出して一次送りブレーカ３に接続する。【選択図】  図３
2008029133.tif 000002
【特許請求の範囲】
【請求項１】
３極の端子座受部のうち両側の２極の端子座受部と中央の１極の端子座受部の高さを異ならせて並設した送り端子台の一方側に３極の電源線を接続するとともに、主幹ブレーカへの３極の中継用電線を接続し、また、送り端子台の他方側に両側の２極の端子座受部の端子座からの延出部を一次送りブレーカの端子部に接続したことを特徴とする分電盤。
【請求項２】
送り端子台の他方側の下方に係止用脚板部を延設して、該係止用脚板部の先端に一次送りブレーカのケースの電源側に設けた係止部を係合させて、該一次送りブレーカを分電盤に固定した請求項１に記載の分電盤。
【発明の詳細な説明】
【技術分野】
【０００１】
本発明は、外部から引き込んだ電源線を一旦送り端子台に接続して、この送り端子台から一次送りのブレーカと主幹ブレーカに配線を行う分電盤に関するものである。
【背景技術】
【０００２】
送り端子台に一旦電源線を接続して、この送り端子台から一次送りブレーカと主幹ブレーカに配線を行う従来の分電盤は、送り端子台として、電源側に３極の接続端子を同一高さとして備えて、負荷側に該接続端子のうち電圧相である両側の接続端子と接続した２つの接続バーを備えた構造のものを搭載して該接続バーを２線分の大きさの一次送りブレーカの端子に接続するものであった。（例えば、特許文献１参照）
【０００３】
ところが、これは送り端子台の電源側を主幹ブレーカと接続する際に、３つの接続端子が同一高さであるため、同一高さにおいて３本の中継用電線を引き回さなければならず大きな配線スペースが必要で、分電盤をその分大きくする必要であった。
【０００４】
【特許文献１】特開２００３−１７１５６公開公報
【発明の開示】
【発明が解決しようとする課題】
【０００５】
本発明は前記のような従来の問題点を解決して、送り端子台の電源側と主幹ブレーカとを接続するための配線スペースを小さくすることができ、分電盤を小型化できる分電盤を提供するものである。
【課題を解決するための手段】
【０００６】
本発明の分電盤は、３極の端子座受部のうち両側の２極の端子座受部と中央の１極の端子座受部の高さを異ならせて並設した送り端子台の一方側に３極の電源線を接続するとともに、主幹ブレーカへの３極の中継用電線を接続し、また、送り端子台の他方側に両側の２極の端子座受部の端子板を延出して一次送りブレーカに接続したことを特徴とするものを基本の発明とする。
【０００７】
また、この発明において、送り端子台の他方側の下方に係止用脚板部を延設して、該係止用脚板部の先端に一次送りブレーカのケースの電源側に設けた係止部を係合させて、該一次送りブレーカを分電盤に固定することが好ましい。
【発明の効果】
【０００８】
前記した本発明の分電盤は、送り端子台が３極の端子座受部のうち両側の２極の端子座受部と中央の１極の端子座受部の高さを異ならせて並設したもので、一方側に３極の電源線を接続するとともに、主幹ブレーカへの３極の中継用電線を接続したものであるから、主幹ブレーカへ接続する３極の中継用電線は両側の２極の端子座受部と中央の１極の端子座受部に接続したものを高さの異なるところで引き回すので上下に重合させることができ平面的なスペースを大きくとる必要がないのでその分分電盤を小型化することができるものである。
【０００９】
また、送り端子台の他方側の下方に係止用脚板部を延設して、該係止用脚板部の先端に一次送りブレーカのケースの電源側に設けた係止部を係合させて、該一次送りブレーカを分電盤に固定するものとすると、一次送りブレーカを交換する際に、一次送りブレーカの端子部への端子座からの延出部のねじ止めを外した後に、該一次送りブレーカの負荷側の分電盤に対する固定を解いて、一次送りブレーカを負荷側にスライドすることにより係止部が係止用脚板部の先端との係止を解除するとともに延出部も一次送りブレーカから離脱するので端子座からの延出部を送り端子台から外すことなく一次送りブレーカを分電盤から取り外すことができる。そして、交換する新たな一次送りブレーカは前記と逆の手順により取り付ければよいものである。
【発明を実施するための最良の形態】
【００１０】
次に、本発明の好ましい実施の形態を図に基づき説明する。
図１はカバーを外して示す本発明に係る分電盤の全体図である。１は外部から分電盤ケース１００内に引き込んだ２本の電圧線２ａ（Ｌ１）、２ｂ（Ｌ２）と１本の中性線２ｃ(Ｎ)の３本の電源線２ａ、２ｂ、２ｃと接続する送り端子台、３は一次送り端子台１の２つの極すなわち図示のものは電圧相（Ｌ１、Ｌ２）と接続する２００Ｖ配線用の一次送りブレーカである。
【００１１】
４は主幹ブレーカであり、該主幹ブレーカ４の３相の電源側端子には送り端子台１に接続した２本の電圧線２ａ（Ｌ１）、２ｂ（Ｌ２）と１本の中性線２ｃ(Ｎ)に該送り端子台１において接続した３本の中継用電線５ａ、５ｂ、５ｃが接続されている。そして、前記主幹ブレーカ４の側方には負荷側端子に接続した２本の電圧相と１本の中性相の３本の分岐用母線バー６のうち一方の電圧相と中性相と接続して１００Ｖ配線、両電圧相同士に接続して２００Ｖ配線を行う多数の分岐用ブレーカ７が配設してある。
【００１２】
前記送り端子台１は、図３に示すように３極の端子座受部１１ａ、１１ｂ、１１ｃのうち両側の２極の端子座受部１１ａ、１１ｂと中央の１極の端子座受部１１ｃの高さを異ならせて並設したものである。そして、図示のものは、両側の２つの端子座受部１１ａ、１１ｂを電圧相（Ｌ１、Ｌ２）の電源線２ａ、２ｂと中央の１つの端子座受部１１ｃを中性相（Ｎ）の電源線２ｃと接続するものとして、該送り端子台１は端子座受部１１ａ、１１ｂ、１１ｃの一方側に端子座１２ａ、１２ｂ、１２ｃに端子ネジ１３をもって外部から２本の電圧線２ａ（Ｌ１）、２ｂ（Ｌ２）と１本の中性線２ｃ(Ｎ)を接続するとともに、主幹ブレーカ４への３本の中継用電線５ａ、５ｂ、５ｃを接続している。また、該送り端子台１の他方側に電圧相の端子座受部１１ａ、１１ｂの端子座１２ａ、１２ｂからの延出部として形成した接続バー１４ａ、１４ｂを一次送りブレーカ３の電源側端子部３ａ、３ｂに接続して２００Ｖの電力機器に対応するものとしている。なお、一次送りブレーカ３を１００Ｖの電気機器に配線する場合には、一次送りブレーカ３の電源側端子部３ａ、３ｂに接続する送り端子台の両側の端子座受部１１ａ、１１ｂの一方に中性相（Ｎ）の電源線２ｃを接続して他方の電圧線を接続バーの無い中央の端子座受部１１ｃに接続すればよいものである。なお、この場合主幹ブレーカ４の３極の電源側端子には対応した電源線を接続するものとする。
【００１３】
前記したとおり、送り端子台１が３極の端子座受部１１ａ、１１ｂ、１１ｃのうち両側の２極の端子座受部１１ａ、１１ｂと中央の１極の端子座受部１１ｃの高さを異ならせて並設したもので、一方側に３極の電源線である２つの電圧線２ａ（Ｌ１）、２ｂ（Ｌ２）と１つの中性線２ｃ(Ｎ)を接続するとともに、主幹ブレーカ４への３極の中継用電線５ａ、５ｂ、５ｃを接続したものであるから、主幹ブレーカ４へ接続する３極の中継用電線５ａ、５ｂ、５ｃは両側の２極の端子座受部１１ａ、１１ｂと中央の１極の端子座受部１１ｃに接続したものを高さの異なるところで引き回すので図２に示すように上下に重合させることができ平面的なスペースを広くとる必要がなくその分分電盤を小型化することができるものである。
【００１４】
また、図３―図４に示す実施例の１のように前記接続バー１４ａ、１４ｂと送り端子台１の基台１０上においては端子座受部１１ａ、１１ｂの上面にフラット状に続かせる形状として曲げ加工を不要なものとしている。このように接続バー１４ａ、１４ｂの形状をフラット状としても、前記したとおり両側の２つの電圧相とした端子座受部１１ａ、１１ｂを高く、中央に１つの中性相とした端子座受部１１ｃを低く形成したものであるから、中央の端子座受部１１ｃは端子座１２ｃの固定を接続バー１４ａ、１４ｂとの絶縁を確保して行うことができるものであり、さらに、接続バー１４ａ、１４ｂは端子座１２ｃが障害とならず基端側から内よりに形成でき幅を大きくすることが可能になり容量の大きな一次送りブレーカ３にも対応できるものである。
【００１５】
また、一次送りブレーカ３の電源側端子部３ａ、３ｂに接続する接続バー１４ａ、１４ｂは両側の端子座受部１１ａ、１１ｂの端子座１２ａ、１２ｂから延設して一体とすることにより、接続バー１４ａ、１４ｂは左右対称となり、同一形状のものを一種類製造して左右反転して使用すればよいので製造コストが削減できるものである。また、接続バー１４ａ、１４ｂは端子座受部１１ａ、１１ｂの一方側に螺合する端子ネジ１３をもって取り付けるものとしているので、基台１０の大きさを小さくできるものである。なお、接続バー１４ａ、１４ｂを端子板１２ａ、１２ｂと一体に形成してもよい。
【００１６】
また、送り端子台１は、図５−図１０に示す実施例の２のように基台１０を下部基台部１０ａと上部基台部１０ｂとに分割できるものとして、下部基台部１０ａは中央の上面を端子座受部１１ｃに形成してその両側を連結部に形成したものであり、また、上部基台部１０ｂは両側に端子座受部１１ａ、１１ｂを中央前隔壁部１５により連結して形成したものである。そして、下部基台部１０ａと上部基台部１０ｂを重ね合わせて連結することにより、３極の端子座受部１１ａ、１１ｂ、１１ｃのうち両側の２極の端子座受部１１ａ、１１ｂと中央の１極の端子座受部１１ｃの高さを異ならせて並設した送り端子台１となる。このように基台１０を下部基台部１０ａと上部基台部１０ｂとに分割できるものとすると、高さの異なる種々の下部基台部１０ａを用意して同じ上部基台部１０ｂと組み合わせることにより、高さの異なる一次送りのブレーカに対応できる種々の送り端子台を提供することができて製造コストを安くすることができる。
【００１７】
さらに、送り端子台１を図１１―図１４に示す実施例の３及び図１５―図１７に示す実施例の４のような電源側の端子３ａ、３ｂの高さを異ならせた一次送りのブレーカ３に対応できるものとするものにあっては、この一次送りのブレーカ３の端子３ａ、３ｂに接続する両側の２つの端子座受部１１ａ、１１ｂの高さを端子３ａ、３ｂの高さの中間に合わせた構造を採用する。そして、接続バー１４ａ、１４ｂは送り端子台１側の接続片部１４１と一次送りのブレーカ３側の接続片部１４２との間の連結板部１４３を傾斜させた構成とすることにより、接続バー１４ａ、１４ｂを同一形状のものを反転させることにより対応でき製造コストを安くすることができる。
【００１８】
なお、図示のものは、一次送りのブレーカ３を２基並設したものであるので、接続バー１４ａ、１４ｂは一次送りのブレーカ３側の接続片部１４２を二股状として２つ設けているが、３基並設したものにあっては三股状として３つ設けたり、１基の場合には接続片部１４２を１つとすることは勿論である。
【００１９】
また、図１４に示すように、一次送りブレーカ３はケース３１の電源側と負荷側の下方に設けた凹状の係止部３１ａ、３１ａに取付用金具８を係合させて、該取付用金具８を止めねじにより分電盤の取付ベース１０１に固定するのが普通とするものである。しかし、これでは一次送りブレーカ３を交換する必要がある場合には、電源側の取付用金具８を取付ベース１０１に固定している止めねじを外す際に接続バー１４ａ、１４ｂが障害となるので、接続バー１４ａ、１４ｂを一次送り端子台１から外す必要がある。
【００２０】
そこで、図１５―図１７に示す実施例の４においては、送り端子台１の他方側の下方に係止用脚板部１６を延設して、該係止用脚板部１６の先端に形成した突起部を一次送りブレーカ３のケース３１の電源側の側面下方に設けた凹状の係止部３１ａを係合させて、該一次送りブレーカ３を分電盤の取付ベース１０１に固定するものとしている。なお、係止用脚板部１６の先端を凹状に形成して、一次送りブレーカ３のケース３１の電源側の側面下方に凸状の係止部３１ａを形成して係合するものとしてもよい。
【００２１】
これは、一次送りブレーカ３を交換する際に、一次送りブレーカ３への接続バーのねじ止めを外した後に、該一次送りブレーカ３の負荷側の下方に取り付けた取付用金具８による分電盤の取付ベース１０１に対する固定を解けば、一次送りブレーカ３を負荷側にスライドすることにより係止部３１ａが係止用脚板部１６の先端との係止を解除するとともに接続バー１４ａ、１４ｂも一次送りブレーカ３から離脱するので送り端子台１から接続バー１４ａ、１４ｂを外すことなく分電盤から取り外すことができる。そして、交換する新たな一次送りブレーカは前記と逆の手順により取り付けできるものである。
【００２２】
また、図１８に示すように、一次送り端子台１には、端子ネジ１３をもって、２本の電圧線２ａ、２ｂと１本の中性線２ｃを接続するとともに、主幹ブレーカ４に接続される３本の中継用電線５ａ、５ｂ、５ｃが接続されており、各極において２本の線が接続されている。この際、下側になった線（図示のものをは電圧線２ａ）の先端に取り付けられた圧着端子１８が下に曲がり、取付ベース１０１に接しないよう、一次送り端子台１の一方の側の各極の側面に、圧着端子１８が下に曲がるのを規制する曲がり防止リブを設けることが好ましい。
【図面の簡単な説明】
【００２３】
【図１】本発明の実施形態をカバーを外して示す正面図。
【図２】本発明の実施形態を示す断面図。
【図３】本発明の実施形態の送り端子台と一次送りブレーカの実施例の１を示す斜視図。
【図４】本発明の実施形態の送り端子台の実施例の１を示す正面図。
【図５】本発明の実施形態の送り端子台と一次送りブレーカの実施例の２を示す斜視図。
【図６】本発明の実施形態の送り端子台と一次送りブレーカの実施例の２を示す断面図。
【図７】本発明の実施形態の送り端子台と一次送りブレーカの実施例の２を分離して示す断面図。
【図８】実施例の２の送り端子台の正面図。
【図９】実施例の２の送り端子台の一部切欠斜視図。
【図１０】実施例の２の送り端子台の断面図。
【図１１】本発明の実施形態の送り端子台と一次送りブレーカの実施例の３を示す斜視図。
【図１２】本発明の実施形態の送り端子台と一次送りブレーカの実施例の３を示す正面図。
【図１３】本発明の実施形態の送り端子台と一次送りブレーカの実施例の３を示す断面図。
【図１４】本発明の実施形態の送り端子台と一次送りブレーカの実施例の３を態様を異にして示す斜視図。
【図１５】本発明の実施形態の送り端子台と一次送りブレーカの実施例の４を示す斜視図。
【図１６】本発明の実施形態の送り端子台と一次送りブレーカの実施例の４を態様を異にして示す斜視図。
【図１７】本発明の実施形態の送り端子台と一次送りブレーカの実施例の４を示す断面図。
【図１８】本発明の実施形態の曲がり防止リブ付の送り端子台と一次送りブレーカを示す斜視図。
【符号の説明】
【００２４】
１  送り端子台
11a  端子座受部
11b  端子座受部
11c  端子座受部
2a  電源線
2b  電源線
2c  電源線
３  一次送りブレーカ
31  ケース
31a  係止部
４  主幹ブレーカ
5a  中継用電線
5b  中継用電線
5c  中継用電線
16  係止用脚板部
17  曲がり防止リブ
18  圧着端子    
【図１】
2008029133.tif 000003
【図２】
2008029133.tif 000004
【図３】
2008029133.tif 000005
【図４】
2008029133.tif 000006
【図５】
2008029133.tif 000007
【図６】
2008029133.tif 000008
【図７】
2008029133.tif 000009
【図８】
2008029133.tif 000010
【図９】
2008029133.tif 000011
【図１０】
2008029133.tif 000012
【図１１】
2008029133.tif 000013
【図１２】
2008029133.tif 000014
【図１３】
2008029133.tif 000015
【図１４】
2008029133.tif 000016
【図１５】
2008029133.tif 000017
【図１６】
2008029133.tif 000018
【図１７】
2008029133.tif 000019
【図１８】
2008029133.tif 000020